(57)【特許請求の範囲】
【請求項１】
内視鏡装置と情報端末装置とを含む内視鏡システムであって、
前記情報端末装置は、
第１の無線モジュール部と、
第１の表示部と、
所定の色情報に基づく色判定用画像を生成して前記第１の表示部に表示する色画像表示処理部と、
前記第１の無線モジュール部を介して受信した前記内視鏡装置からの内視鏡画像を前記第１の表示部に表示する内視鏡画像表示処理部と、
を有し、
前記内視鏡装置は、
撮像部と、
第２の表示部と、
前記撮像部により撮像して得られた撮像信号から画像信号を生成する画像処理部と、
前記第１の表示部に表示された前記色判定用画像を前記撮像部により撮像して得られた前記色判定用画像の画像信号を解析して、前記色判定用画像の色情報を得る解析部と、
前記内視鏡装置の前記撮像部により撮像して得られた前記内視鏡画像を、前記第１の無線モジュール部へ無線により送信するための第２の無線モジュール部と、
を有し、
前記内視鏡装置は、前記色判定用画像の色情報と前記内視鏡画像を前記情報端末装置へ送信し、
前記情報端末装置は、受信した前記解析部において得られた前記色判定用画像の色情報に基づいて、受信した前記内視鏡画像に対して色補正処理を行い、前記第１の表示部に表示することを特徴とする内視鏡システム。
【請求項２】
前記色補正処理は、前記色判定用画像についての前記所定の色情報と、前記解析部で得られた前記色判定用画像の色情報との比較結果に基づいて行われることを特徴とする請求項１に記載の内視鏡システム。
【請求項３】
前記比較結果の比較情報は、前記第２の無線モジュール部から前記第１の無線モジュール部を介して前記内視鏡装置から前記情報端末装置へ送信されることを特徴とする請求項２に記載の内視鏡システム。
【請求項４】
前記色判定用画像は、互いに異なる色を表示する複数の色表示領域を有することを特徴とする請求項１から３のいずれか１つに記載の内視鏡システム。
【請求項５】
前記色判定用画像についての前記所定の色情報と前記解析部で得られた前記色判定用画像の色情報との差に応じた補正指示量を、前記内視鏡装置から前記情報端末装置へ前記無線により送信して、前記補正指示量に基づいて前記色判定用画像を補正することを、前記色判定用画像についての前記所定の色情報と前記解析部で得られた前記色判定画像の色情報との差が所定の値以下になるまで繰り返すことによって、前記色補正処理のための色毎の補正値は決定されることを特徴とする請求項１から４のいずれか１つに記載の内視鏡システム。
【請求項６】
前記情報端末装置は、
前記情報端末装置のハードウエア情報をコード化するコード化部と、
前記コード化された前記ハードウエア情報を前記第１の表示部に表示するコード化情報表示部と、
をさらに有し、
前記色補正処理は、前記第１の表示部に表示された前記コード化された前記ハードウエア情報を前記撮像装置により撮像することによって得た前記情報端末装置の前記ハードウエア情報も加味して、行われることを特徴とする請求項１から５のいずれか１つに記載の内視鏡システム。
【請求項７】
前記コード化された前記ハードウエア情報と、前記色判定用画像は、前記第１の表示部に同時に表示されることを特徴とする請求項６に記載の内視鏡システム。
【請求項８】
前記情報端末装置は、前記情報端末装置のハードウエア情報を、前記第１の無線モジュール部により前記内視鏡装置に送信し、
前記色補正処理は、送信された前記ハードウエア情報も加味して、行われることを特徴とする請求項１から５のいずれか１つに記載の内視鏡システム。
【請求項９】
前記色補正処理は、前記第１の表示部に表示される内視鏡画像と前記第２の表示部に表示される内視鏡画像の色味を略一致させることを特徴とする請求項１に記載の内視鏡システム。
【請求項１０】
撮像部を有する内視鏡装置からの内視鏡画像を無線で受信して表示部に表示する情報端末装置において実行されるプログラムであって、
所定の色情報に基づく色判定用画像を生成して前記表示部に表示する機能と、
無線モジュール部を介して受信した前記内視鏡装置からの内視鏡画像を前記表示部に表示する機能と、
前記表示部に表示された前記色判定用画像を前記撮像部により撮像して得られた前記色判定用画像の画像信号を解析して得られた前記色判定用画像の色情報と、前記色判定用画像についての前記所定の色情報との差に応じた補正指示量を、前記内視鏡装置から前記無線により受信して、前記補正指示量に基づいて前記色判定用画像を補正することを、前記色判定用画像についての前記所定の色情報と前記解析部で得られた前記色判定用画像の色情報との差が所定の値以下になるまで繰り返す機能と、
前記内視鏡装置から受信した前記色判定用画像の色情報に基づいて、前記内視鏡装置から受信した前記内視鏡画像に対して色補正処理を行う機能と、
をコンピュータに実行させるためのプログラム。
【発明の詳細な説明】
【技術分野】
【０００１】
本発明は、内視鏡システム及びプログラムに関し、特に、内視鏡装置以外の装置に内視鏡画像を表示することができる内視鏡システム及びプログラムに関する。
【背景技術】
【０００２】
従来より、内視鏡装置は、医療用分野及び工業用分野で広く用いられている。内視鏡装置は、観察対象物内に挿入する挿入部と、対象物内を撮像して得られた観察画像である内視鏡画像を表示する表示部を有する本体部とを備えて構成されたものが一般的である。内視鏡装置は、工業分野においては、その細長の挿入部をボイラ、タービン、エンジン等の内部に挿入して、内部の傷や腐食を観察、検査するために使用される。
【０００３】
内視鏡装置は、挿入部と本体部とが接続されているため、内視鏡装置の移動範囲が制限されてしまうという問題があるが、そのような問題を解決するために、内視鏡装置で得られた映像信号を、別体の装置に無線送信する技術も提案されている（例えば、特許文献１参照）。
【０００４】
一方で、近年は、無線LAN搭載の機器同士を、いわゆるアクセスポイントを経由して、あるいはアクセスポイントを経由しなくても直接に、無線により接続する技術も普及してきている。  
【先行技術文献】
【特許文献】
【０００５】
【特許文献１】特開２００９−１８９６６３号公報
【発明の概要】
【発明が解決しようとする課題】
【０００６】
しかし、パーソナルコンピュータ（以下、PCという）などの装置に無線で送信された内視鏡画像がその装置のモニタに表示されたときに、モニタに表示された画像の色味と内視鏡装置の本体部に設けられている表示部に表示された画像の色味が異なっていると、その装置のモニタに表示された内視鏡画像を見ている検査者は、検査対象の状態を正しく認識できない虞がある。
【０００７】
内視鏡装置の本体部に設けられている表示部が表示する色味は、内視鏡装置の製造時に予め調整されているので、表示部の画面に表示される内視鏡画像の色は、被写体の色と色味を同じに表示される。
【０００８】
ところが、内視鏡装置とは別体の装置に内視鏡画像を送信して、その装置の表示部であるモニタに同じ内視鏡画像を表示したときに、内視鏡装置の表示部に表示された内視鏡画像と、その装置のモニタに表示された内視鏡画像とは、同じ色味で表示されない場合があり得る。これは、別体の装置自体が、PC等のように複数の種類があり得る場合、機種毎に用いている液晶表示装置等の表示部の種類や描画性能が異なるためである。  
検査者が別体の装置の表示部に表示された内視鏡画像を見て、傷等の有無の判定を行う場合に、検査対象物の色味が変わってしまうと、検査者は、検査対象物の傷等を判別し難くなる。
【０００９】
また、複数人で同一の内視鏡画像を見たい状況もある。例えば、高い位置にある検査対象であるエンジンの内部を検査するとき、一人の検査者が内視鏡装置の表示部に表示された内視鏡画像を見て、他の検査者は、低い位置の床上に居て、別体の装置の表示部に表示された内視鏡画像を見て検査対象の傷等の状態を判定したい場合もあり得る。このような場合に、内視鏡装置の表示部に表示された内視鏡画像と、別体の装置のモニタに表示された内視鏡画像とが異なる色味で表示されると、同じ傷等に対して同様な判定をすることができない虞がある。
【００１０】
そこで、本発明は、以上のような問題点に鑑みてなされたものであり、内視鏡装置に表示される内視鏡画像の画像信号を、内視鏡装置以外の装置に無線で送信して、その装置の表示部に表示したときに、その装置の表示部に表示される内視鏡画像と内視鏡装置の表示部に表示される内視鏡画像の色味を略同一にすることができる内視鏡システム及びプログラムを提供することを目的とする。
【課題を解決するための手段】
【００１１】
本発明の一態様による内視鏡システムは、内視鏡装置と情報端末装置とを含む内視鏡システムであって、前記情報端末装置は、第１の無線モジュール部と、第１の表示部と、所定の色情報に基づく色判定用画像を生成して前記第１の表示部に表示する色画像表示処理部と、前記第１の無線モジュール部を介して受信した前記内視鏡装置からの内視鏡画像を前記第１の表示部に表示する内視鏡画像表示処理部と、を有し、前記内視鏡装置は、撮像部と、第２の表示部と、前記撮像部により撮像して得られた撮像信号から画像信号を生成する画像処理部と、前記第１の表示部に表示された前記色判定用画像を前記撮像部により撮像して得られた前記色判定用画像の画像信号を解析して、前記色判定用画像の色情報を得る解析部と、前記内視鏡装置の前記撮像部により撮像して得られた前記内視鏡画像を、前記第１の無線モジュール部へ無線により送信するための第２の無線モジュール部と、を有し、前記内視鏡装置は、前記色判定用画像の色情報と前記内視鏡画像を前記情報端末装置へ送信し、前記情報端末装置は、受信した前記解析部において得られた前記色判定用画像の色情報に基づいて、受信した前記内視鏡画像に対して色補正処理を行い、前記第１の表示部に表示する。
【００１３】
本発明の一態様によるプログラムは、撮像部を有する内視鏡装置からの内視鏡画像を無線で受信して表示部に表示する情報端末装置において実行されるプログラムであって、所定の色情報に基づく色判定用画像を生成して前記表示部に表示する機能と、無線モジュール部を介して受信した前記内視鏡装置からの内視鏡画像を前記表示部に表示する機能と、前記表示部に表示された前記色判定用画像を前記撮像部により撮像して得られた前記色判定用画像の画像信号を解析して得られた前記色判定用画像の色情報と、前記色判定用画像についての前記所定の色情報との差に応じた補正指示量を、前記内視鏡装置から前記無線により受信して、前記補正指示量に基づいて前記色判定用画像を補正することを、前記色判定用画像についての前記所定の色情報と前記解析部で得られた前記色判定用画像の色情報との差が所定の値以下になるまで繰り返す機能と、前記内視鏡装置から受信した前記色判定用画像の色情報に基づいて、前記内視鏡装置から受信した前記内視鏡画像に対して色補正処理を行う機能と、をコンピュータに実行させるためのプログラムである。
【発明の効果】
【００１４】
本発明によれば、内視鏡装置に表示される内視鏡画像の画像信号を、内視鏡装置以外の装置に無線で送信して、その装置の表示部に表示したときに、その装置の表示部に表示される内視鏡画像と内視鏡装置の表示部に表示される内視鏡画像の色味を略同一にすることができる内視鏡システム及びプログラムを実現することができる。
【図面の簡単な説明】
【００１５】
【図１】本発明の第１の実施の形態に係わる内視鏡システム１の構成を示す構成図である。
【図２】本発明の第１の実施の形態に係わる情報端末装置３における内視鏡画像表示アプリ２２の処理の流れの例を示すフローチャートである。
【図３】本発明の第１の実施の形態に係わる内視鏡画像表示アプリ２２ａの初回時処理の流れの例を示すフローチャートである。
【図４】本発明の第１の実施の形態に係わる内視鏡装置２における内視鏡画像送信アプリ１６ａの処理の流れの例を示すフローチャートである。
【図５】本発明の第１の実施の形態に係わる内視鏡画像送信アプリ１６ａの初回時処理の流れの例を示すフローチャートである。
【図６】本発明の第１の実施の形態に係わる内視鏡画像送信アプリ１６ａにおける内視鏡画像送信処理（S23）の処理の流れの例を示すフローチャートである。
【図７】本発明の第１の実施の形態に係わる内視鏡画像表示アプリ２２ａにおける内視鏡画像表示処理（S3）の処理の流れの例を示すフローチャートである。
【図８】本発明の第１の実施の形態に係わるハードウエア情報に対応するルックアップテーブルの例を説明するための図である。
【図９】本発明の第２の実施の形態に係わる内視鏡画像送信アプリ１６ａにおける内視鏡画像送信処理（S23）の処理の流れの例を示すフローチャートである。
【図１０】本発明の第２の実施の形態に係わる内視鏡画像表示アプリ２２ａにおける内視鏡画像表示処理（S3）の処理の流れの例を示すフローチャートである。
【発明を実施するための形態】
【００１６】
以下、図面を参照して本発明の実施の形態を説明する。  
（第１の実施の形態）
（全体構成）
図１は、本実施の形態に係わる内視鏡システム１の構成を示す構成図である。内視鏡システム１は、内視鏡装置２と、情報端末装置であるタブレット型のPC３とを含んで構成される。内視鏡装置２は、細長い挿入部４と、挿入部４が接続された本体部５とを有する。内視鏡装置２とPC３は、互いに無線通信可能となっている。内視鏡装置２は、無線親機であり、内視鏡画像を自己のモニタに表示することも、内視鏡画像をPC３へ送信して、PC３のモニタに表示させることもできる。無線子機としてのPC３は、内視鏡装置２に対応する専用の装置でもよいし、市販の装置でもよい。
【００１７】
挿入部４は、先端部に撮像素子１１を有し、結像光学系１２を介して受光した被写体の光学像を光電変換して、映像信号として信号線１３を介して本体部５へ出力するように構成されている。撮像素子１１は、例えば、カラーフィルタを有するカラーCCD等の撮像部である。
【００１８】
本体部５は、カメラコントロールユニット（以下、CCUという）１４と、中央処理装置（以下、CPUという）１５と、CPU１５に接続された記憶装置１６と、液晶表示部（以下、LCDという）１７と、無線回路１８を含む。CCU１４は、撮像素子１１からの映像信号を入力して、入力された映像信号に対して、ノイズ除去、各種補正処理等を施して、CPU１５へ出力する画像処理部である。すなわち、CCU１４は、撮像部により撮像して得られた撮像信号から画像信号を生成する画像処理部である。
【００１９】
内視鏡装置２は、検査者であるユーザが挿入部４の先端部を検査対象内に挿入にして、撮像素子１１により検査対象内部のライブ映像を、内視鏡画像としてLCD１７に表示したり、記憶装置１６に記憶することができる。
【００２０】
なお、図１では、内視鏡装置２は、種々の機能を有し、そのために例えば湾曲操作機構、光線装置等を含むが、ここでは、本発明に関連のある構成のみ示し、他の構成は、図示せず、説明は省略する。
【００２１】
CPU１５は、本体部５全体を制御する制御部であり、特にCCU１４からの映像信号を受信して被写体のライブの内視鏡画像を、表示部であるLCD１７の画面上に表示させたり、記憶装置１６に記録したり、記憶装置１６に記録された動画及び静止画の内視鏡画像をLCD１７の画面上に表示させるように各部を制御する。
【００２２】
記憶装置１６は、CPU１５が実行する各種処理のためのプログラムと、プログラムの実行時に参照あるいは読み出される各種データと、内視鏡画像を記憶する記憶部である。  
LCD１７は、表示部であり、内視鏡装置１は、その製造時に、被写体の画像を適切な色及び色味で、撮像して得られた内視鏡画像がLCD１７に表示されるように、予め調整されている。
【００２３】
また、無線回路１８は、CPU１５の制御の下、１つの規格であるIEEE802.11b等の所定の通信プロトコルにより、データを無線で送受信するための無線モジュールである。CPU１５は、無線回路１８に対して、信号線１８ａを介して無線情報設定を行い、信号線１８ｂを介して内視鏡画像の映像信号を出力する。すなわち、無線回路１８は、内視鏡装置の撮像部により撮像して得られた内視鏡画像を、無線により送信するための無線モジュール部を構成する。  
さらに、後述する内視鏡画像送信アプリケーションプログラム（以下、内視鏡画像送信アプリと略す）１６ａが、記憶装置１６に記憶されている。
【００２４】
一方、無線子機であるPC３は、LCD等の表示部１９と、無線回路２０とを内部に有する。情報端末装置であるPC３は、ここでは、タブレット型PCであるが、スマートホンあるいはノート型PCなどであってもよい。
【００２５】
表示部１９の画面には、PC３の有する機能に基づく各種画像、メニュー画面、及び各種文字だけでなく、後述するように内視鏡装置２から無線で送信されて受信した内視鏡画像も表示される。
【００２６】
無線回路２０は、無線回路１８と同様にIEEE802.11b等の通信プロトコルにより、データを無線で通信可能な無線モジュール部である。よって、無線回路１８と２０は、互いに直接無線通信することができる。  
無線回路２０からCPU２１への内視鏡画像等の供給は、信号線２０ａを介して行われ、無線回路２０への無線情報等の供給は、信号線２０ｂを介して行われる。
【００２７】
さらに、PC３は、CPU２１と記憶装置２２を有し、CPU２１は、記憶装置２２にインストールされた各種アプリケーションプログラムを実行することができる。CPU２１は、デコーダを含み、ストリームデータをデコードする。
【００２８】
PC３の記憶装置２２には、後述する内視鏡画像表示アプリケーションプログラム（以下、内視鏡画像表示アプリと略す）２２ａが、実行可能な状態で予め記憶されている。内視鏡画像表示アプリ２２ａは、内視鏡装置２から送信されたストリームデータのライブの内視鏡画像を受信して表示部１９に表示するためのプログラムである。
（内視鏡画像表示アプリ２２ａ）
内視鏡画像表示アプリ２２ａは、（ａ１）無線情報生成処理、（ａ２）PC３のハードウエア情報収集処理、（ａ３）無線回路１９への無線情報の設定処理、（ａ４）無線情報とPC３のハードウエア情報のコード化処理、（ａ５）表示状態判定用画像の生成処理、（ａ６）コード化情報と表示状態判定用画像の表示処理、及び（ａ７）内視鏡画像表示処理、を実行可能なプログラムを含む。
【００２９】
（ａ１）の無線情報生成処理は、内視鏡装置２との無線通信に必要な認証情報及びセキュリティ情報の生成を行う処理である。無線情報生成処理は、例えば、IEEE802.11b等の通信プロトコルを利用するに必要なID（例えばSSID）とパスワードの生成を行う。なお、無線情報としてのIDとパスワードは、自動で生成されてもよいし、マニュアルで設定してもよい。
【００３０】
（ａ２）のハードウエア情報収集処理は、PC３のハードウエアに関する情報の収集を行う処理である。ハードウエア情報収集処理は、例えば、PC３のメモリに記憶されたOS（オペレーティングシステム）などのシステムに関する管理情報から、表示部１８の表示色数などの情報を収集する。
【００３１】
なお、ハードウエア情報として、表示部１８の表示色数を示す色ビット深度、表示解像度、ハードウエアデコーダの有無、CPUの種類、動作クロック、メモリ容量、像の残像に影響する液晶の応答速度、等の情報も含めてもよい。
【００３２】
（ａ３）の無線情報の設定処理は、無線情報生成処理により生成された無線情報を、無線回路２０に設定する処理である。無線情報の設定処理は、例えば、生成したIDとパスワードを無線回路２０に設定して、無線回路２０がIEEE802.11b等の通信プロトコルを利用して内視鏡装置２との無線通信を可能にする。
【００３３】
（ａ４）の無線情報とハードウエア情報のコード化処理は、生成された無線情報とハードウエア情報収集処理において収集したハードウエアに関する情報とを、所定のコードに変換する処理である。ハードウエア情報のコード化処理は、例えば、収集したハードウエアに関する情報を、QRコード（登録商標。以下同じ）等の二次元バーコード等の他のコードに変換する。
【００３４】
（ａ５）の表示状態判定用画像の生成処理は、後述する表示状態判定用画像を生成する処理である。  
（ａ６）のコード化情報と表示状態判定用画像の表示処理は、コード化された無線情報及びハードウエア情報と、色味判定のための表示状態判定用画像とを、表示部１９に表示する処理である。その表示処理は、例えば、図１に示すように、表示部１９の画面上に、QRコード３１と、表示状態判定用画像３２を表示する。
【００３５】
ここでは、コード化情報としてQRコード３１を用いているが、他のコードでもよい。QRコード３１は、無線情報とハードウエア情報がコード化されて表現されたコードであり、無線通信のためのID等と表示部１９の表示色数などのハードウエア情報を含む。
【００３６】
表示状態判定用画像３２は、所定の複数の色が表示された複数の表示領域を含み、ここでは、７つの表示領域３２ａ〜３２ｇを有する。各表示領域には、所定の色が表示される。すなわち、色判定用画像である表示状態判定用画像３２は、互いに異なる色を表示する複数の色表示領域を有する。
【００３７】
ここでは、表示領域３２ａには、RGBのR（赤）が表示され、表示領域３２ｂには、G（緑）が表示され、表示領域３２ｃには、Ｂ（青）が表示される。さらに、表示領域３２ｄ〜３２ｇには、RGBのそれぞれ異なる組み合わせの色が表示され。このとき、各表示領域に表示される所定の色の所定の色空間における位置は、予め決められており、各表示領域には、その所定の位置の色が表示される。各表示領域に表示される所定の色の所定の色空間における位置情報は、内視鏡画像表示アプリ２２ａのプログラム内に記述されていてもよいし、記憶装置２２に別途記憶されていてもよい。
【００３８】
例えば、RGBの各色が２５６段階内における諧調値で表現される場合に、表示領域３２ａには、所定の色空間において、（R,G,B）が（２５５，０，０）の位置の色が表示され、表示領域３２ｂには、その色空間において、（R,G,B）が（０，２５５，０）の位置の色が表示され、表示領域３２ｃには、その色空間において、（R,G,B）が（０，０，２５５）の位置の色が表示される。そして、表示領域３２ｄから３２ｇには、その色空間における互いに異なる所定の位置の複数の色が表示される。なお、所定の色空間は、一般的な標準あるいは規格に定められている色空間を用いてもよい。
【００３９】
なお、表示状態判定用画像（以下、判定用画像ともいう）３２の各表示領域に表示される色味の判定基準となる所定の色空間内の位置情報は、内視鏡装置２の記憶装置１６にも記憶されている。具体的には、内視鏡画像表示アプリ２２ａが表示する初期値としての判定用画像３２の各表示領域に表示される色味の判定基準となる所定の色空間内の位置情報は、内視鏡画像送信アプリ１６ａ内に記述され、あるいは記憶装置１６の記憶領域に記憶されている。すなわち、内視鏡装置２とPC３は、判定用画像３２の各表示領域に表示される色について、共通の色空間における位置情報を共有している。
【００４０】
以上の（ａ１）〜（ａ６）の処理は、後述する処理の流れに従って、内視鏡画像表示アプリ２２ａの初回の起動時に自動的に実行される。  
（ａ７）の内視鏡画像表示処理は、内視鏡装置２から無線回路２０を介して受信したストリームデータである内視鏡画像を、表示部１９の画面上に表示するための処理である。（ａ７）の処理は、PC３において内視鏡画像表示アプリ２２ａの実行時に、表示部１９に内視鏡画像を表示するときに実行される。
【００４１】
なお、上記の（ａ１）〜（ａ７）の処理を実行可能な内視鏡画像表示アプリ２２ａは、PC３に予め記憶されているのではなく、別体のメモリカード等に記憶され、そのメモリカード等をPC３のメモリカード等用のコネクタに接続して、CPU２１により、内視鏡画像表示アプリ２２ａをPC３により読み込ませて記憶装置２２に記憶して、実行させるようにしてもよい。
【００４２】
さらになお、PC３の無線機能を利用して、インターネットを経由して所定のサイトにアクセスして、CPU２１により、そのサイトに蓄積されている内視鏡画像表示アプリ２２ａを、ユーザにダウンロードさせて、記憶装置２２に記憶して、実行させるようにしてもよい。
（内視鏡画像送信アプリ）
内視鏡画像送信アプリ１６ａは、（ｂ１）PC３の無線情報抽出処理、（ｂ２）PC３のハードウエア情報抽出処理、（ｂ３）無線回路１８への無線情報の設定処理、（ｂ４）PC３のハードウエア情報に応じた画像処理設定処理、（ｂ５）表示状態判定用画像の表示状態判定処理、（ｂ６）内視鏡画像送信処理、を実行可能なプログラムを含む。
【００４３】
（ｂ１）と（ｂ２）のPC３の無線情報抽出処理とハードウエア情報抽出処理は、PC３の表示部１９に表示されたQRコードから無線情報とハードウエア情報を抽出する処理である。後述するように、撮像装置１１により、PC３の表示部１９の画面に表示されたQRコードを撮像し、その撮像したQRコードを画像処理して解析して、QRコードに含まれる無線情報とハードウエア情報の抽出が行われる。
【００４４】
（ｂ３）の無線回路１８への無線情報の設定処理は、抽出された無線情報を、無線回路１８に設定する処理である。例えば、上述した（ａ１）で生成されたIEEE802.11b等の通信プロトコルを利用するに必要なIDとパスワードが、無線回路１８に設定される。
【００４５】
（ｂ４）のPC３のハードウエア情報に応じた画像処理設定処理は、PC３に送信する内視鏡画像に対して、PC３のハードウエア情報に応じた画像処理のための設定を行う処理である。画像処理設定処理は、表示部１９の表示画面のサイズに応じスケーリング処理、等である。
【００４６】
（ｂ５）の表示状態判定用画像の表示状態判定処理は、PC３の表示部１９の画面に表示された判定用画像３２を撮像装置１１により撮像して得られた画像信号の色情報を、所定の色情報と比較して、その比較結果を得る処理である。例えば、判定用画像３２を撮像して得られた複数の表示領域３２ａ〜３２ｇの画像信号の色情報と、判定用画像３２の複数の表示領域についての所定の色情報とを比較して、各表示領域における２つの色情報の差が算出される。色情報は、例えば、各色の諧調値である。そして、比較結果から、各差が所定の閾値以内であるか否かを判定し、各差が所定の閾値以内でないときに、その差に応じて、各色についての補正指示量が算出され、その補正指示量に応じた色の補正をPC３に行わせるための補正指示をPC３へ送信する。補正指示量は、例えば、PC３のRGBの各色の諧調値を補正するための値である。
【００４７】
（ｂ６）の内視鏡画像送信処理は、撮像装置１１により撮像して得られた内視鏡画像に対して、（ｂ５）の表示状態判定用画像の表示状態判定処理において算出された補正指示量に応じた補正値による色補正を行って、PC３へ送信する処理である。すなわち、（ｂ６）の内視鏡画像送信処理では、（ｂ５）の表示状態判定用画像の表示状態判定処理で得られた各色の補正値だけ内視鏡画像の色信号が補正され、その補正された内視鏡画像の映像信号が送信される。
【００４８】
次に、内視鏡画像表示アプリ１６ａが内視鏡装置２において実行可能で、かつ内視鏡画像表示アプリ２２ａがPC３において実行可能な状態において、PC３の表示部１８に内視鏡装置２の内視鏡画像を表示する場合について説明する。
（作用）
まず、情報端末装置３にインストールされている内視鏡画像表示アプリ２２ａと、内視鏡装置２にインストールされている内視鏡画像送信アプリ１６ａを起動して、内視鏡システム１において実行される処理について説明する。  
図２は、情報端末装置３における内視鏡画像表示アプリ２２ａの処理の流れの例を示すフローチャートである。図２の処理は、CPU２０によって実行される。
【００４９】
情報端末装置３において内視鏡画像表示アプリ２２ａが起動されると、初回の実行時か否かあるいは初回時処理が実行済みであるか否かの判定が行われる（S1）。例えば、初回時処理が一回実行されるとその実行の記録が記憶装置２２の所定の記憶領域に記憶されるようにすることによって、CPU２０は、S1の判定を行うことができる。
【００５０】
初回時の実行であるとき（S1:YES）、CPU２０によって初回時処理が実行され、初回時の実行でないとき（S1:NO）、CPU２０によって内視鏡画像表示処理が実行される（S3）。初回時処理（S2）は、上述した（ａ１）〜（ａ６）の無線情報生成処理等の処理を含む。内視鏡画像表示処理（S3）は、上述した（ａ７）の処理を含み、ストリームデータとして送信されるライブの内視鏡画像信号を受信して、映像信号である内視鏡画像信号を、デコーダによりデコードして再生し、表示部１９に表示する。すなわち、S3の処理は、無線回路２０を介して受信した内視鏡装置２からの内視鏡画像を表示部１９に表示する内視鏡画像表示処理部を構成する。
【００５１】
図３を用いて、初回時処理の流れを説明する。図３は、内視鏡画像表示アプリ２２ａの初回時処理の流れの例を示すフローチャートである。  
情報端末装置３にインストールされている内視鏡画像表示アプリ２２ａが起動されて、初回時処理の実行が開始されると、無線情報生成処理が実行される（S11）。無線情報生成処理は、上述した（ａ１）無線情報生成処理に対応する。例えば、CPU２０の制御の下、IEEE802.11b等の通信プロトコルを利用して無線回路１７と通信を行うために必要なIDとパスワードの生成が行われる。
【００５２】
S11の処理の後、ハードウエア情報収集処理が実行される（S12）。ハードウエア情報収集処理は、上述した（ａ２）PC３のハードウエア情報収集処理に対応する。  
S12の処理の後、無線情報設定処理が実行される（S13）。無線情報設定処理は、上述した（ａ３）無線回路１９への無線情報の設定処理に対応する。
【００５３】
S13の処理の後、コード化処理が実行される（S14）。コード化処理は、上述した（ａ４）無線情報とPC３のハードウエア情報のコード化処理に対応する。すなわち、S14の処理は、情報端末装置であるPC３のハードウエア情報をコード化するコード化部を構成する。
【００５４】
S14の処理の後、表示状態判定用画像生成処理が実行される（S15）。表示状態判定用画像生成処理は、上述した（ａ５）表示状態判定用画像の生成処理に対応する。  
S15の処理の後、コード化情報と表示状態判定用画像３２の表示処理が実行される（S16）。コード化情報と表示状態判定用画像３２の表示処理は、上述した（ａ６）コード化情報と表示状態判定用画像の表示処理に対応する。ここでは、コード化されたハードウエア情報と、色判定用画像である表示状態判定用画像３２は、表示部１９に同時に表示される。S16の処理が、所定の色情報に基づく色判定用画像を生成して表示部１９に表示する色画像表示処理部を構成する。また、S16の処理は、コード化されたハードウエア情報を表示部１９に表示するコード化情報表示部を構成する。
【００５５】
S16の処理の後、判定用画像３２の色補正の指示を内視鏡装置２から受けたか否かの判定が行われる（S17）。後述するように、内視鏡装置２では、挿入部４の先端部に設けられた撮像装置１１により情報端末装置３の表示部１８に表示された判定用画像３２の撮影が行われ、撮影して選られた判定用画像３２の画像信号の色情報と、記憶装置１５ａに記憶された予め決められた色情報との比較が行われ、内視鏡装置２は、その比較結果から、補正指示を情報端末装置３へ送信する場合がある。
【００５６】
そのような補正指示を受けたときには（S17:YES）、PC３では、その補正指示に含まれる補正指示量だけ、色空間の中で、判定用画像３２の各表示領域の色を補正する表示色補正処理が実行される（S18）。例えば、補正指示量は、色空間内における各色の諧調差である。
【００５７】
S18の処理の後、処理は、S15に戻り、色補正した判定用画像３２を生成し（S15）、表示する（S16）。補正して表示された判定用画像３２は再度、内視鏡装置２により撮影され、撮影して得られた判定用画像３２の画像信号の色情報と、記憶装置１５ａに記憶された予め決められた色情報との比較が行われ、２つの色情報の差が所定の閾値内になるまで、S15からS18の処理は、繰り返される。
【００５８】
そして、補正指示を受けなくなると（S17:NO）、初期時処理は終了する。補正指示を受けなくなったか否かの判定は、例えば、所定時間内に補正指示を受けなくなった否かにより行うことができる。
【００５９】
次に、内視鏡装置２にインストールされている内視鏡画像送信アプリ１６ａの初回時処理について説明する。ユーザは、例えば、「表示機器の追加」というコマンドを入力すると、内視鏡画像送信アプリ１６ａが起動される。
【００６０】
図４は、内視鏡装置２における内視鏡画像送信アプリ１６ａの処理の流れの例を示すフローチャートである。図４の処理は、CPU１５によって実行される。  
内視鏡装置２において内視鏡画像送信アプリ１６ａが起動されると、初回の実行時か否かあるいは初回時処理が実行済みであるか否かの判定が行われる（S21）。例えば、初回時処理が一回実行されるとその実行の記録が記憶装置１６の所定の記憶領域に記憶されるようにすることによって、S21の判定を行うことができる。
【００６１】
初回時の実行であるとき（S21:YES）、CPU１５によって初回時処理が実行され、初回時の実行でないとき（S21:NO）、CPU１５によって内視鏡画像送信処理が実行される（S23）。初回時処理（S22）は、上述した（ｂ１）〜（ｂ５）の無線情報抽出処理等の処理を含む。内視鏡画像送信処理（S23）は、上述した（ｂ６）の処理を含み、撮像して得られた内視鏡画像をストリーム形式で送信する。
【００６２】
図５を用いて、内視鏡画像送信アプリ１６ａの初回時処理の流れを説明する。図５は、内視鏡画像送信アプリ１６ａの初回時処理の流れの例を示すフローチャートである。  
初回時、画像読込指示画面表示処理が実行される（S31）。画像読込指示画面表示処理は、表示部であるLCD１７の画面上に、ユーザにPC３の画面上に表示された画像を撮像するように指示するメッセージなどを含む画像読込指示画面を表示する処理である。ユーザは、PC３の内視鏡画像表示アプリ２２ａを既に起動して、表示部１９の画面上にQRコード３１と表示状態判定用画像３２を表示させているので、それらの画像を、内視鏡装置２によりPC３を撮像することができる。
【００６３】
ユーザが上記の指示に従って、図１において２点鎖線で示すように、撮像装置１１により表示部１９の画面上のQRコード３１と表示状態判定用画像３２を撮像するので、その撮像処理が実行される（S32）。
【００６４】
S32の処理の後、撮像して得られた画像に対する解析処理が実行される（S33）。解析処理は、上述した（ｂ１）PC３の無線情報抽出処理と（ｂ２）PC３のハードウエア情報抽出処理に対応する。すなわち、S33の処理は、LCD１７に表示された色判定画像を撮像素子１１により撮像して得られた色判定画像の画像信号を解析して、色判定画像の画像信号の色情報を得る解析部を構成する。
【００６５】
S33の処理の後、無線設定処理が実行される（S34）。無線設定処理は、上述した（ｂ３）無線回路１８への無線情報の設定処理に対応する。  
S34の処理の後、解析処理により得られた判定用画像３２の各表示領域の画像信号の色情報と、所定の色情報との差が所定の閾値内であるかが判定される（S35）。すなわち、撮像装置１１により撮像して得られた判定用画像３２の撮像信号の色情報と、記憶装置１６に記憶されている所定の色情報とを比較し、その比較結果から、表示領域毎に、２つの色情報の差が所定の閾値内であるか否かが判定される。例えば、各表示領域のRGB信号のそれぞれの輝度情報と、所定の色情報との差が算出されて、各差が所定の閾値内であるか否かが判定される。
【００６６】
いずれかの表示領域において２つの色情報の差が所定の閾値以内でないとき（S35:NO）、その差に応じた補正指示を行う（S36）。その補正指示は、所定の通信プロトコルを用いて、無線回路１８からPC３へ送信される。補正指示は、補正指示量を含む。例えば、補正指示量は、各表示領域におけるRGBの各信号の諧調値を補正するための量である。PC３は、補正指示を受信し（S17:YES）、受信した補正指示に含まれる補正指示量に応じて各表示領域の各色の色空間内の位置を変更する。
【００６７】
いずれの表示領域においても２つの色情報の差が所定の閾値以内であるとき（S35:YES）、補正値記憶処理を実行する（S37）。例えば、この補正値記憶処理（S37）では、PC３の表示部１９に表示される内視鏡画像と、内視鏡装置２のLCD１７に表示される内視鏡画像との色味が同じようになる、色空間内の色毎の諧調差に対応する補正値が記憶装置１６に記憶される。S35からS37の処理が、上述した（ｂ５）表示状態判定用画像の表示状態判定処理に対応する。
【００６８】
すなわち、上述したS15からS18とS35からS37の処理により、色判定用画像についての所定の色情報とS33の解析処理で得られた色判定画像の画像信号の色情報との差に応じた補正指示量を、内視鏡装置２からPC３へ無線により送信して、その補正指示量に基づいて色判定用画像を補正することを、色判定用画像についての所定の色情報とS33の解析処理で得られた色判定用画像の画像信号の色情報との差が所定の値以下になるまで繰り返すことによって、色補正処理のための色毎の補正値は、決定される。
【００６９】
以上のように、内視鏡画像送信アプリ１６ａと内視鏡画像表示アプリ２２ａにおいて初回時の処理が実行されると、その後ユーザが内視鏡装置２において内視鏡画像送信アプリ１６ａを起動し、PC３において内視鏡画像表示アプリ２２ａを起動すると、S3とS23の処理により、内視鏡装置２からPC３へ内視鏡画像を無線で送信することができる。すると、内視鏡装置２のLCD１７に表示されている内視鏡画像は、PC３の表示部１９にも表示される。
【００７０】
図６は、内視鏡画像送信アプリ１６ａにおける内視鏡画像送信処理（S23）の処理の流れの例を示すフローチャートである。  
図５の初回時の処理を実行後、ユーザが、図示しないコマンドをCPU１５に対して与えることにより内視鏡画像の送信を指示すると、図６の処理が実行される。
【００７１】
まず、送信する内視鏡画像取得処理が実行される（S41）。内視鏡画像取得処理は、撮像装置１１から出力される映像信号を取得することによって、行われる。  
そして、内視鏡画像補正処理が実行される（S42）。内視鏡画像補正処理は、取得された内視鏡画像に対して、記憶装置１６に記憶された補正値で補正することによって行われる。例えば、RGBの各色毎の補正値が記憶されていれば、それぞれの補正値により、各RGB信号の色情報が補正される。すなわち、S42において、S33の解析処理において得られた色判定画像の色情報に基づいて、撮像素子１１により撮像して得られた内視鏡画像に対する色補正処理が行われる。
【００７２】
以上のように、本実施の形態では、色補正処理は、色判定用画像についての所定の色情報と、S33の解析処理において得られた色判定画像の画像信号の色情報との比較結果に基づいて、内視鏡装置２において行われる。
【００７３】
なお、色補正だけでなく、ビットレートの補正などの他の補正処理も、S42において行われる。PC３のハードウエア情報も得ているので、内視鏡装置２のCPU１５は、そのハードウエア情報に基づき、内視鏡画像をPC３において処理できる信号に変換あるいは補正する。すなわち、色補正処理は、表示部１９に表示されたコード化されたハードウエア情報を撮像素子１１により撮像することによって得た情報端末装置であるPC３のハードウエア情報も加味して、行われる。
【００７４】
そして、内視鏡画像送信処理が実行される（S43）。内視鏡画像送信処理は、色補正処理された内視鏡画像を無線回路１８へ、信号線１８ｂを介して出力することによって、行われる。無線回路１８と無線回路２０は、所定のプロトコルでお互いに通信可能となっているので、内視鏡装置２からPC３への内視鏡画像の送信が行われる。
【００７５】
図７は、内視鏡画像表示アプリ２２ａにおける内視鏡画像表示処理（S3）の処理の流れの例を示すフローチャートである。  
図３の初回時の処理を実行後、ユーザが、図示しないコマンドをCPU２１に対して与えることにより内視鏡画像の表示を指示すると、図７の処理が実行される。
【００７６】
まず、無線回路２０を介した内視鏡画像受信処理が実行される（S51）。内視鏡画像受信処理は、CPU２１が無線回路２０を制御して、内視鏡装置２から送信された内視鏡画像の映像信号を取得することによって、行われる。  
そして、内視鏡画像出力処理が実行される（S52）。内視鏡画像出力処理では、取得された内視鏡画像が、表示部１９へ出力される。
【００７７】
無線回路２０を介して受信した内視鏡画像の画像信号は、内視鏡装置２において、色補正が施されているので、内視鏡装置２のLCD１７に表示される内視鏡画像とPC３の表示部１９に表示される内視鏡画像の色味が略一致する。よって、PC３の表示部１９を見ている検査者は、内視鏡装置２のLCD１７を見ている検査者と同様の色味の画像を見ることができるので、傷等を判別し易い。
【００７８】
なお、色補正だけでなく、ビットレート、サイズ、解像度などの他の補正処理も行われて、内視鏡画像がPC３へ送信されているので、内視鏡画像が、PC３においても適切に表示される。
【００７９】
さらに、上述したように、本実施の形態では、情報端末装置のハードウエア情報が内視鏡画像の補正に利用されているが、色情報の補正値だけでなく、解像度等の情報も補正処理に利用されている。
【００８０】
そこで、情報端末装置のハードウエア情報に応じて予め決められた補正内容を指定するルックアップテーブルを、内視鏡装置２の記憶装置１６に予め用意して格納しておき、解析して得られた情報端末装置のハードウエア情報に基づいて、そのルックアップテーブルを参照し、参照して得られた設定に基づいて、補正あるいは送信処理を行うようにしてもよい。
【００８１】
図８は、ハードウエア情報に対応するルックアップテーブルの例を説明するための図である。  
図８のルックアップテーブルTBLは、PC３の表示部の解像度と、PC３における色ビット深度に対する映像ストリームデータの補正内容が格納されたテーブルである。例えば、表示部１９の解像度がVGAであり、色ビット深度が８ビットである場合、補正内容は「設定１」に対応するビットレートで内視鏡画像情報が送信される。
【００８２】
他にも、他のハードウエア情報に対応するテーブルを有して、各ハードウエア情報、例えば、CPUの種類、動作クロック、メモリ容量、ハードウエアデコーダの有無、等の情報、に応じた、画像補正、画像信号の送信などを行うようにしてもよい。  
その結果、PC３側では、表示部１８の解像度などに応じて適切に処理された映像ストリームがデコードされる。
【００８３】
以上のように、上述した本実施の形態の内視鏡システム１によれば、PC３においても、内視鏡装置２と同様の色味の内視鏡画像を表示することができる。
（第２の実施の形態）
上述した第１の実施の形態では、内視鏡画像の補正処理は、内視鏡装置において行われるが、本実施の形態では、情報端末装置において表示される内視鏡画像の補正処理は、情報端末装置において行われる。
【００８４】
本実施の形態の内視鏡装置と情報端末装置の構成は、第１の実施の形態と同様であるので、図１から図７において、同じ構成要素については同じ符号を付して説明は省略する。  
本実施の形態の内視鏡システム１Ａは、第１の実施の形態と同様であり、内視鏡装置２とPC３とを含む。本実施の形態のPC３の内視鏡画像表示アプリ２２ａの全体の処理は、図２と同様であり、初回時処理も、図３と同様である。また、本実施の形態の内視鏡装置２の内視鏡画像送信アプリ１６ａの全体の処理は、図４と同様であり、初回時処理も、図５と同様である。
【００８５】
しかし、内視鏡画像送信アプリ１６ａにおける内視鏡画像送信処理（S23）と、内視鏡画像表示アプリ２２ａにおける内視鏡画像表示処理（S3）が、第１の実施の形態と異なっている。
【００８６】
図９は、本実施の形態に係る内視鏡画像送信アプリ１６ａにおける内視鏡画像送信処理（S23）の処理の流れの例を示すフローチャートである。  
図５の初回時の処理を実行後、ユーザが、図示しないコマンドをCPU１５に対して与えることにより内視鏡画像の送信を指示すると、図９の処理が実行される。
【００８７】
まず、送信する内視鏡画像取得処理が実行される（S61）。S61の処理は、上述したS41の処理と同じである。  
そして、補正値送信処理が実行される（S62）。補正値送信処理は、記憶装置１６に記憶された補正値の情報を読み出して、送信する処理である。なお、S62の処理は、内視鏡画像送信処理の度に行ってもよいし、最初の内視鏡画像送信処理の時だけ行うようにしてもよい。
【００８８】
そして、内視鏡画像送信処理が実行される（S63）。内視鏡画像送信処理は、S61で取得された内視鏡画像を無線回路１８へ、信号線１８ｂを介して出力することによって、行われる。無線回路１８と無線回路２０は、所定のプロトコルでお互いに通信可能となっているので、内視鏡装置２からPC３への内視鏡画像の送信が行われる。
【００８９】
図１０は、内視鏡画像表示アプリ２２ａにおける内視鏡画像表示処理（S3）の処理の流れの例を示すフローチャートである。  
図３の初回時の処理を実行後、ユーザが、図示しないコマンドをCPU２１に対して与えることにより内視鏡画像の表示を指示すると、図１０の処理が実行される。
【００９０】
まず、無線回路２０を介した補正値の情報と内視鏡画像の受信処理が実行される（S71）。補正値と内視鏡画像の受信処理は、CPU２１が無線回路２０を制御して、内視鏡装置２から送信された補正値の情報と内視鏡画像の映像信号とを取得することによって、行われる。  
そして、内視鏡画像補正処理が実行される（S72）。内視鏡画像補正処理は、取得された内視鏡画像に対して、受信した補正値で補正することによって行われる。例えば、RGBの色毎の補正値により、内視鏡画像の各RGB信号の色情報が補正される。すなわち、S72において、S33の解析処理において得られた色判定画像の色情報に基づいて、内視鏡画像に対する色補正処理が行われる。
【００９１】
以上のように、本実施の形態では、色補正処理は、色判定用画像についての所定の色情報と、S33の解析処理において得られた色判定画像の画像信号の色情報との比較結果に基づいて、情報端末装置であるPC３において行われる。
【００９２】
具体的には、その比較結果の比較情報は、無線回路１８から無線回路２０を介して内視鏡装置２から情報端末装置であるPC３へ送信される。そして、内視鏡画像表示処理において、その比較結果の比較情報に基づいて、無線回路２０を介して受信した内視鏡画像の補正が行われる。
【００９３】
なお、色補正だけでなく、サイズ補正のためのスケーリング処理などの他の補正処理も、S72において行われる。CPU２１は、PC３のハードウエア情報に基づき、内視鏡画像をPC３に適切な信号に変換あるいは補正する。すなわち、色補正処理は、表示部１９に表示されたコード化されたハードウエア情報を撮像素子１１により撮像することによって得た情報端末装置であるPC３のハードウエア情報も加味して、行われる。
【００９４】
そして、内視鏡画像出力処理が実行される（S73）。内視鏡画像出力処理では、S72で補正された内視鏡画像が、表示部１９へ出力される。  
以上のように、無線回路２０を介して受信した内視鏡画像の画像信号は、PC３において補正されるので、内視鏡装置２のＬＣＤ１７に表示される内視鏡画像とPC３の表示部１９に表示される内視鏡画像の色味が略一致する。よって、PC３の表示部１９を見ている検査者は、内視鏡装置２のLCD１７を見ている検査者と同様の色味の画像を見ることができるので、傷等を判別し易い。
【００９５】
さらに、色補正だけでなく、スケーリング処理などの他の補正処理もPC３で行われるので、内視鏡画像が、PC３においても適切に表示される。  
なお、上述したS62の処理は、S63において、画像フレームのブランキング期間内に行うようにしてもよい。
【００９６】
よって、上述した本実施の形態の内視鏡システムによれば、PC３においても、内視鏡装置２と同様の色味の内視鏡画像を表示することができる。  
以上のように、上述した各実施の形態の内視鏡システムによれば、内視鏡装置に表示される内視鏡画像の画像信号を、内視鏡装置以外の装置に無線で送信して、その装置の表示部に表示したときに、その装置の表示部に表示される内視鏡画像と内視鏡装置の表示部に表示される内視鏡画像の色味を略同一にすることができる内視鏡システムを実現することができる。
【００９７】
以下、上述した２つの実施の形態の変形例について説明する。  
上述した２つの実施の形態では、認証手続を自動に行うIEEE802.11b等の機器同士で直接無線通信を可能にする規格の通信プロトコルを利用しているが、公知の認証手続を自動に行うAOSS（AirStation One-Touch Secure System）等の通信プロトコルを利用して、アクセスポイントを経由した通信を利用してもよい。
【００９８】
また、ここでは、IEEE802.11b等の自動接続機能を用いて、内視鏡装置２と情報端末装置との間の無線通信がされる例で説明するが、内視鏡装置２と情報端末装置との間の無線通信は、ユーザによるマニュアルで確立するようにしてもよい。
【００９９】
さらにまた、内視鏡装置２と情報端末装置との間の無線通信として、認証などの必要のない通信プロトコルを用いてもよい。  
さらに、上述した各実施の形態では、内視鏡装置２に対して、１台の情報端末装置が無線通信を行って、情報端末装置の表示部１９に内視鏡画像が表示されるが、複数台の情報端末装置に対して、内視鏡装置２は内視鏡画像を送信するようにしてもよい。
【０１００】
動画の映像ストリームで内視鏡画像を複数の情報端末装置へ同時に送信する場合は、第２実施の形態のように、無線子機である情報端末装置において内視鏡画像の色補正処理を行うのが好ましい。しかし、静止画の内視鏡画像を複数の情報端末装置へ同時に送信する場合は、第１の実施の形態のように、内視鏡装置２において色補正処理を行ってもよいし、無線子機である情報端末装置において内視鏡画像の色補正処理を行ってもよい。
【０１０１】
また、複数の情報端末装置が内視鏡装置２と無線通信を行う場合、上述した例として挙げた通信プロトコルのIEEE802.11bの場合、２台目以降の情報端末装置は、１台目の無線設定において生成されたID、パスワードが各情報端末装置の無線回路２０に設定されて内視鏡装置２との無線通信が可能となる。このような設定は、IEEE802.11bの通信プロトコルによれば、自動的に行われる。
【０１０２】
さらに、上述した各実施の形態では、無線情報とハードウエア情報のコード化処理が行われているが、コード化しないで、文字情報として、無線情報とハードウエア情報を表示部１９に表示するようにしてよい。
【０１０３】
さらにまた、無線情報とハードウエア情報をコード化しないで、無線により、情報端末装置から内視鏡装置へ送信するようにしてよい。すなわち、情報端末装置は、情報端末装置のハードウエア情報を、無線回路２０により内視鏡装置２に送信し、色補正処理は、送信されたハードウエア情報も加味して行われるようにしてもよい。
【０１０４】
本明細書における各「部」は、実施の形態の各機能に対応する概念的なもので、必ずしも特定のハードウエアやソフトウエア・ルーチンに１対１には対応しない。従って、本明細書では、以下、実施の形態の各機能を有する仮想的回路ブロック（部）を想定して実施の形態を説明した。また、本実施の形態における各手順の各ステップは、その性質に反しない限り、実行順序を変更し、複数同時に実行し、あるいは実行毎に異なった順序で実行してもよい。
【０１０５】
なお、以上説明した動作を実行するプログラムである内視鏡画像表示アプリ２２ａと内視鏡画像送信アプリ１６ａは、コンピュータプログラム製品として、フレキシブルディスク、ＣＤ−ＲＯＭ等の可搬媒体や、ハードディスク等の記憶媒体に、その全体あるいは一部が記録され、あるいは記憶されている。そのプログラムがコンピュータにより読み取られて、動作の全部あるいは一部が実行される。あるいは、そのプログラムの全体あるいは一部を通信ネットワークを介して流通または提供することができる。利用者は、通信ネットワークを介してそのプログラムをダウンロードしてコンピュータにインストールしたり、あるいは記録媒体からコンピュータにインストールすることで、容易に本実施の形態の内視鏡システムを実現することができる。
【０１０６】
本発明は、上述した実施の形態に限定されるものではなく、本発明の要旨を変えない範囲において、種々の変更、改変等が可能である。
【符号の説明】
【０１０７】
１、１A  内視鏡システム、２  内視鏡装置、３  PC、４  挿入部、５  本体部、１１  撮像素子、１２  結像光学系、１３  信号線、１４  カメラコントロールユニット、１５  CPU、１６  記憶装置、１６ａ  内視鏡画像送信アプリ、１７  LCD、１８  無線回路、１８ａ、１８ｂ  信号線、１９  表示部、２０  無線回路、２０ａ、２０ｂ  信号線、２１  CPU、２２  記憶装置、２２ａ  内視鏡画像表示アプリ、３１  QRコード、３２  表示状態判定用画像、３２ａ〜３２ｇ  表示領域。
【図１】
0005988697.tif 000002
【図２】
0005988697.tif 000003
【図３】
0005988697.tif 000004
【図４】
0005988697.tif 000005
【図５】
0005988697.tif 000006
【図６】
0005988697.tif 000007
【図７】
0005988697.tif 000008
【図８】
0005988697.tif 000009
【図９】
0005988697.tif 000010
【図１０】
0005988697.tif 000011